(57)【要約】【課題】測定者の生体信号を生体信号測定装置で測定する場合、生体信号測定装置の時刻設定が適切に設定されていなかったり、電池切れにより時刻設定が初期化されていたり、時刻設定が現在時刻から遅延、もしくは早くなっている時に、生体信号測定時刻として誤った測定時刻が記録された。【解決手段】通信回線で接続された測定信号測定装置と測定データ収集装置から構成しており、測定時刻と現在時刻との差である差分時間を算出し、前記差分時間が所定時間以上である時に前記測定時刻を修正する事を特徴とすることにより、生体信号測定装置の時刻設定が遅延、および電池駆動のための時刻設定の初期化が発生した際でも、測定者が意識することなく、測定時刻を正しい時間に修正する効果を有し、測定者の生体信号測定結果、および測定時刻を通信手段を介して測定データ収集装置で収集し、測定者の健康状態を遠隔管理する健康管理システムに有用である。【選択図】図２
2008188379.tif 000002
【特許請求の範囲】
【請求項１】
少なくとも生体信号の測定結果を測定する生体信号測定手段と、
前記生体信号の測定を行った時刻を計測する第一の計時手段と、
前記測定結果と前記測定時刻を送信する第一の通信手段とを有する
生体信号測定装置と、
少なくとも前記測定結果と前記測定時刻を受信する第二の通信手段と、
現在時刻を計測する第二の計時手段とを有する、
測定データ収集装置とをそなえ、
前記測定信号測定装置と前記測定データ収集装置は通信回線で接続しており、
前記測定時刻と前記現在時刻との差である差分時間を算出し、
前記差分時間が所定時間以上である時に前記測定時刻を修正する事を特徴とする
生体信号測定時刻修正システム。
【請求項２】
差分時間が所定時間以上である時、測定時刻として現在時刻に修正することを特徴とする
請求項1記載の生体信号測定時刻修正システム。
【請求項３】
差分時間が所定時間以上である時、測定時刻に修正フラグを付与する事を特徴とする
算出する事を特徴とする
請求項1記載の生体信号測定時刻修正システム。
【請求項４】
差分時間が所定時間以上である時、測定時刻を現在時刻から補正した修正時刻を
算出する事を特徴とする
請求項1記載の生体信号測定時刻修正システム。
【請求項５】
生体信号測定装置と測定データ収集装置が存在する場所の時差を算出し、
前記時差に基づいて、前記測定時刻の修正する事を特徴とする
請求項1記載の生体信号測定時刻修正システム。
【請求項６】
少なくとも生体信号の測定結果を測定する生体信号測定手段と、
前記生体信号の測定を行った時刻を計測する第一の計時手段と、
複数の前記測定結果と前記測定時刻を保存する記憶手段と
複数の前記測定結果と前記測定時刻を送信する第一の通信手段とを有する
生体信号測定装置と、
少なくとも複数の前記測定結果と前記測定時刻を受信する第二の通信手段と、
現在時刻を計測する第二の計時手段とを有する、
測定データ収集装置とをそなえ、
前記測定信号測定装置と前記測定データ収集装置は通信回線で接続しており、
複数の前記測定時刻のうち、前記測定時刻と前記現在時刻との差である差分時間が
所定時間以上となる前記測定時刻のうちで、最終となる最終測定時刻を算出し、
前記最終測定時刻と前記現在時刻との差である対象差分時間を算出し、
前記測定時刻と前記現在時刻との差である差分時間が所定時間以上で前記測定時刻に対し、
前記測定時刻に前記対象差分時間を追加した時刻を修正時刻として算出することを特徴とする
生体信号測定時刻修正システム。
【請求項７】
測定データ収集装置は
さらに測定結果と測定時刻を表示する表示手段からなり、
前記表示手段で文字で表示する際に、測定時刻と修正時刻とで異なる字体を使用することを特徴とする
請求項1または請求項6記載の生体信号測定時刻修正システム。
【請求項８】
測定データ収集装置は、
さらに測定結果と測定時刻を表示する表示手段からなり、
前記表示手段で表示する際に、測定時刻と修正時刻とで異なる色を使用することを特徴とする
請求項1または請求項6記載の生体信号測定時刻修正システム。
【請求項９】
測定データ収集装置は、
さらに測定結果と測定時刻を表示する表示手段からなり、
前記表示手段でグラフ表示する際に、測定時刻と修正時刻とで異なる形状の点を
使用することを特徴とする
請求項1または請求項6記載の生体信号測定時刻修正システム。
【請求項１０】
測定データ収集装置は、
さらに測定結果と測定時刻を表示する表示手段からなり、
前記表示手段で表示する際に、測定時刻と修正時刻とで異なる点灯状態を
使用することを特徴とする
請求項1または請求項6記載の生体信号測定時刻修正システム。
【発明の詳細な説明】
【技術分野】
【０００１】
本発明は測定者の生体信号測定結果、および測定時刻を通信手段を介して測定データ収集装置で収集し、測定者の健康状態を遠隔管理する健康管理システムに関するものであり、特に生体情報の測定時刻を修正する技術に関するものである。
【背景技術】
【０００２】
従来の生体信号測定時刻修正システムは、図１０に示すように生体信号測定装置１００１と測定データ収集装置１００２と日時情報送信装置１００３、および通信ケーブル１００４で構成されている。
【０００３】
生体信号測定装置１００１では、生体情報読取手段１００１aの測定値及び、時計１００１ｂでの計測した生体情報の測定時間を記憶手段１００１ｃに保存する。生体信号測定装置１００１と測定データ収集装置１００２が通信ケーブル１００４を介して通信処理を行うときに、測定データ収集装置１００２は、通信ケーブ得る１００４を介して、日時情報送信装置１００３に正確な現在時刻の取得要求を送信する。
【０００４】
日時情報送信装置１００３は要求を受信し、基準時計１００３ａにより正確な現在時刻を測定データ収集装置１００２に送信する。読出し手段１００２は正確な現在時刻を受信すると、蓄積手段１００２ａに保存し、この正確な現在時刻を通信ケーブル１００４を介して、生体信号測定装置１００１の時計設定手段１００１ｄに設定を行う。時計設定手段１００１ｄは、時計１００１ｂに正確な現在時刻を設定することにより、生体信号測定装置１００１の時刻は修正可能である事を特徴としている(例えば特許文献１参照）。
【０００５】
また、さらに生体信号測定装置が存在する地域のタイムゾーンの違いを考慮し、時差情報を加えて生体信号測定装置の時刻補正を行う技術も存在する(例えば特許文献２参照)。また、複数の生体信号センサにおける時刻補正を行うために、生体信号の測定値を利用する技術も存在する(例えば特許文献３参照)。
【特許文献１】特開２００３−２６５４１９号公報（第１３頁、第２図）
【特許文献２】特開２００４−８４５７号公報（第１４頁、第２図）
【特許文献３】特開２００４−５４５６５号公報（第１３頁、第２図）
【特許文献４】特開２００５−７１５４号公報（第９頁、第２図）
【発明の開示】
【発明が解決しようとする課題】
【０００６】
しかしながら、従来の生体信号測定時刻修正システムにおいては、生体信号測定装置が測定データ収集装置、および日時情報送信装置と通信処理を行い、生体信号測定装置の時刻修正を行った後に生体信号を測定すれば問題ないが、時刻修正を行う前に測定を行った生体信号測定結果の測定時刻に関しては、なんら考慮されていないという問題があった。
【０００７】
例えば測定者が、生体信号測定装置を生体信号を測定してその測定結果を確認するためだけに利用する場合には、生体信号測定装置の時刻設定を正確に行わない場合がある。この場合、生体信号測定装置の時刻設定が工場出荷状態のままであり、数年程度前の日時がデフォルトとして設定されている事がしばしばである。
【０００８】
また、生体信号測定装置を利用する測定者は、比較的高齢である場合が多く、機器設定操作に不慣れな場合がある。この場合、測定者が生体信号測定装置の時刻設定を行う必要性を認識せずに利用することもあり、また測定者が時刻設定の必要性を認識していたとしても、時刻設定操作が測定者自身では出来ないこともある。
【０００９】
さらに、生体信号測定装置の中には血糖計、血圧計に代表されるように携帯型で利用できる装置が存在し、こういった携帯型装置の電源は電池駆動となっている。電源が電池であるため、電池切れという状態が発生することが想定される。この場合、仮に測定者が生体信号測定装置の時刻設定を正確に行っていたとしても、電池交換を行う際に時刻設定がリセットされて、デフォルトの時刻設定状態に戻ってしまう事がある。
【００１０】
また、測定者が生体信号測定装置で測定した測定結果を、遠隔地にいる医療関係従事者が診断を行う遠隔健康管理システムが近年普及している。この遠隔健康管理システムにおいては、測定者が生体信号測定行為を行った測定時刻が非常に重要となってくる。すなわち、遠隔地の医療関係従事者が測定者の生体信号測定結果を診断するために、生体信号測定装置の測定時刻が正しいか、誤りなのかは、遠隔地からは判断ができず、測定者の生活習慣。
【００１１】
一方、測定者は測定者自身が行った測定行為の日時に関しては、記憶している場合が多いため、生体信号測定装置の測定時刻が著しく実測定時刻と異なる場合には、これを修正する事が可能である。
【００１２】
本発明は、従来の問題を解決するためになされたもので、生体信号測定装置における測定時刻が、測定データ収集装置における現在時刻より、所定時間以上の差がある場合に、この測定時刻を修正することのできる生体信号測定時刻修正システムを提供することを目的とする。
【課題を解決するための手段】
【００１３】
本発明の生体信号測定時刻修正システムは、少なくとも生体信号の測定結果を測定する生体信号測定手段と、前記生体信号の測定を行った時刻を計測する第一の計時手段と、前記測定結果と前記測定時刻を送信する第一の通信手段とを有する生体信号測定装置と、少なくとも前記測定結果と前記測定時刻を受信する第二の通信手段と、現在時刻を計測する第二の計時手段とを有する、測定データ収集装置とを備え、前記測定信号測定装置と前記測定データ収集装置は通信回線で接続しており、前記測定時刻と前記現在時刻との差である差分時間を算出し、前記差分時間が所定時間以上である時に前記測定時刻を修正する事を特徴とする構成により、生体信号測定装置の時刻設定が大幅に遅延した場合、および早い場合でも測定時刻として測定行為を実施した時刻に修正することが出来る。
【００１４】
また、本発明の生体信号測定時刻修正システムは、差分時間が所定時間以上である時、測定時刻として現在時刻に修正することを特徴とする構成を有している。
【００１５】
この構成により、測定時刻が大幅にずれている場合には、最も近い情報として現在時刻に修正する事が簡単な処理で実現できる。
【００１６】
さらに、本発明の生体信号測定時刻修正システムは、差分時間が所定時間以上である時、測定時刻に修正フラグを付与する事を特徴とする算出する事を特徴とする構成を有している。
【００１７】
この構成により、測定時刻修正を行った結果と修正を行わなかった結果を明確にくべつすることができる。
【００１８】
さらに、本発明の生体信号測定時刻修正システムは、差分時間が所定時間以上である時、測定時刻を現在時刻から補正した修正時刻を算出する事を特徴とする構成を有している。
【００１９】
この構成により、測定行為を行った時刻を現在時刻を目安に修正時刻を算出することができる。
【００２０】
さらに、本発明の生体信号測定時刻修正システムは、生体信号測定装置と測定データ収集装置が存在する場所の時差を算出し、前記時差に基づいて、前記測定時刻の修正する事を特徴とする構成を有している。
【００２１】
この構成により、例えば米国などの広大な国において、生体信号測定装置と測定データ収集装置とが、時差の異なる地域に存在していたとしても、その地域間の時差情報を下に、その地域に応じた正しい測定時刻に修正することが可能となる。
【００２２】
さらに、本発明の生体信号測定時刻修正システムは、少なくとも生体信号の測定結果を測定する生体信号測定手段と、前記生体信号の測定を行った時刻を計測する第一の計時手段と、複数の前記測定結果と前記測定時刻を保存する記憶手段と複数の前記測定結果と前記測定時刻を送信する第一の通信手段とを有する生体信号測定装置と、少なくとも複数の前記測定結果と前記測定時刻を受信する第二の通信手段と、現在時刻を計測する第二の計時手段とを有する、測定データ収集装置とを備え、前記測定信号測定装置と前記測定データ収集装置は通信回線で接続しており、複数の前記測定時刻のうち、前記測定時刻と前記現在時刻との差である差分時間が所定時間以上となる前記測定時刻のうちで、最終となる最終測定時刻を算出し、前記最終測定時刻と前記現在時刻との差である対象差分時間を算出し、前記測定時刻と前記現在時刻との差である差分時間が所定時間以上で前記測定時刻に対し、前記測定時刻に前記対象差分時間を追加した時刻を修正時刻として算出することを特徴とする構成を有している。
【００２３】
この構成により、生体信号測定装置に複数の測定結果と測定時刻が保存している場合、たとえ設定時刻が誤っていても、測定行為の間隔を表す差分時間は参考にすることができる。すなわち、測定時刻の中で最も最近に行った測定行為の測定時刻を基準にして、それ以前の測定行為の測定時刻を修正することが可能となる。
【００２４】
さらに、本発明の生体信号測定時刻修正システムは、測定データ収集装置が、さらに測定結果と測定時刻を表示する表示手段からなり、前記表示手段で文字で表示する際に、測定時刻と修正時刻とで異なる字体を使用することを特徴とする構成を有している。
【００２５】
この構成により、医療従事者が測定データ収集装置において測定時刻を表示手段上で確認する場合、測定時刻の表示方法として表などの文字形式で表示する際に、字体が異なっているため、簡単に違いを認識できる。また、医療従事者が測定結果および測定時刻を印刷した場合にも測定時刻の修正有無を知ることが可能となる。
【００２６】
さらに、本発明の生体信号測定時刻修正システムは、測定データ収集装置が、さらに測定結果と測定時刻を表示する表示手段からなり、前記表示手段で表示する際に、測定時刻と修正時刻とで異なる色を使用することを特徴とする構成を有している。
【００２７】
この構成により、医療従事者が測定データ収集装置において、測定時刻を表示手段上で確認する場合、測定時刻の表示方法としてグラフなど図形形式で表示する際に、グラフの測定点の色、もしくは背景色が異なっているため、簡単に測定時刻の修正有無を知ることが可能となる。さらに、医療従事者が測定データ収集装置において、測定時刻を表示手段上で確認する場合、測定時刻の表示方法として表などの文字形式で表示する際に、測定時刻の文字色が異なっているため、簡単に測定時刻の修正有無を知ることが可能となる。
【００２８】
さらに、本発明の生体信号測定時刻修正システムは、測定データ収集装置が、さらに測定結果と測定時刻を表示する表示手段からなり、前記表示手段でグラフ表示する際に、測定時刻と修正時刻とで異なる形状の点を使用することを特徴とする構成を有している。
【００２９】
この構成により、医療従事者が測定データ収集装置において、測定時刻を表示手段上で確認する場合、測定時刻の表示方法としてグラフなど図形形式で表示する際に、グラフの測定点の形状が異なっているため、簡単に測定時刻の修正有無を知ることが可能となる。
【００３０】
さらに、本発明の生体信号測定時刻修正システムは、測定データ収集装置が、さらに測定結果と測定時刻を表示する表示手段からなり、前記表示手段で表示する際に、測定時刻と修正時刻とで異なる点灯状態を使用することを特徴とする構成を有している。
【００３１】
この構成により、医療従事者が測定データ収集装置において、測定時刻を表示手段上で確認する場合、測定時刻の表示方法が点滅と点灯などで異なる点灯状態を使用することにより、簡単に測定時刻の修正有無を知ることが可能となる。
【発明の効果】
【００３２】
本発明は、通信回線で接続された測定信号測定装置と測定データ収集装置から構成しており、測定時刻と現在時刻との差である差分時間を算出し、前記差分時間が所定時間以上である時に前記測定時刻を修正する事を特徴とすることにより、生体信号測定装置の時刻設定が遅延、および電池駆動のための時刻設定の初期化が発生した際でも、測定者が意識することなく、測定時刻を正しい時間に修正する効果を有する生体信号測定時刻修正システムを提供することができるものである。
【発明を実施するための最良の形態】
【００３３】
以下、本発明の実施の形態の生体信号測定時刻修正システムについて、図面を用いて説明する。なお、全図を通して同一符号は同一対象物を表す。
【００３４】
（実施の形態１）
図１は第１の実施の形態の生体信号測定時刻修正システムの構成図である。図１において、生体信号の測定を行う生体信号測定装置１００と、測定した測定データを収集する測定データ収集装置１１０とは、通信回線１２０で接続されている。ここで、通信回線１２０とは、有線通信、および無線通信の両方を含むものでる。
【００３５】
更に生体信号測定装置１００は、生体信号を測定する生体信号測定手段１０１と、測定時刻を計測する計時手段１０２と、これら生体信号測定手段１０１および計時手段を制御する制御手段１０３と、生体信号の測定結果、および測定時間を通信回線１２０を介して通信処理を行う通信手段１０４から構成する。ここで生体信号測定装置の一例として、家庭用の血圧計、血糖計、心電計、血中酸素飽和濃度計、体温計などが存在するが、これに限るものではない。
【００３６】
また測定データ収集装置１１０は、通信回線１２０を介して通信処理を行う通信手段１１１と、時刻を計測する計時手段１１２と、通信回線を介して生体信号測定装置１００から取得した生体信号測定結果を保存する記憶手段１１４から構成する。ここで、測定データ収集装置との一例として、パーソナルコンピュータ、携帯情報端末、携帯電話などが存在するが、これに限るものではない。
【００３７】
図２は、図１で説明した構成からなる生体信号時刻修正システムの動作説明のため、処理の流れ図(フロー図)を示す。図２において、左側に生体信号測定装置の処理を、右側に測定データ収集装置の処理を説明し、相互に関係する処理については、横方向の矢印を用いて説明する。
【００３８】
図２の生体信号測定装置において、まず生体信号の測定結果を生体信号測定手段１０１から取得する（Ｓ２０１）。次に、生体信号を測定した測定時刻を計時手段１０２から取得する（Ｓ２０２）。そして、生体信号測定装置１００の通信手段１０４から測定結果と測定時刻を通信回線１２０を介して送信し（Ｓ２０４）、測定データ収集装置１１０の通信手段１１１が受信をする（Ｓ２１１）。
【００３９】
測定データ収集装置では、計時手段１１２により現在時刻を取得し（Ｓ２１２）、測定データ収集装置の通信手段１１１から通信回線１２０を介して送信し（Ｓ２１３）、生体信号測定装置では通信手段１０４から現在時刻を受信する（Ｓ２０５）。
【００４０】
生体信号測定装置の制御手段１０３では、受信した現在時刻で計時手段１０２で計測定してる現在時刻を修正する。これは、生体信号測定装置内の計時手段１０２の時刻設定が忘れていたり、また時間経過により生体信号測定装置の計時手段の時刻設定が正確な時間から遅延した場合、もしくは早くなった場合に正確な時刻に修正する効果がある。
【００４１】
一方、次に生体信号測定時刻修正システムにおける時刻修正について説明する。測定データ収集装置１１０では、生体信号測定装置１００から取得した測定時刻と計時手段１１２から取得した現在時刻との比較を行い、差分時間[DT]の計算を行う（Ｓ２１５）。ここで、測定時刻と現在時刻が、所定時間以上はなれていれば、その測定時刻に誤りがあると判断できる所定時間を事前に設定しておく。一例として、生体信号測定装置の工場出荷時のデフォルト設定として、数年前の時刻設定が行われている事がしばしばである。この場合、所定時間として、数年と設定されているとここでは仮定するが、この設定は運用により柔軟に変更するものとし、この限りではない。
【００４２】
そして事前に設定されていた所定時間と、差分時間[DT]とを比較を行う（Ｓ２１６）。ここで、差分時間[DT]が所定時間より大きければ、修正時刻[TT]として空欄を設定する（Ｓ２１８）。すなわち、測定時刻修正システムにおいて時刻修正が必要ないという判断を行う。また、差分時間[DT]が所定時間以下であれば、修正時刻として、現在時刻を代入する（Ｓ２１７）。すなわち、測定時刻修正システムにおいて、時刻修正が必要であったと判断を行う。
【００４３】
最後に、測定データ収集装置において、測定時刻と測定結果と修正時刻[TT]を記憶手段１１４に保存を行う。すなわち、修正時刻[TT]により時刻修正処理の有無が判断でき、かつ生体信号測定装置で取得した修正前の測定時刻[MT]も参照することができる。い、処理が終了となる。
【００４４】
ここでは、説明のため修正時刻を算出し、これを記憶手段に保存したが、その代用として、修正フラグのみを保存する方法も考えられる。すなわちその場合、測定時刻を修正する場合は、測定時刻に修正した時刻を代入し、新たに設けた修正フラグという変数に修正記録を残す。また、測定時刻を修正しない場合は、測定時刻を修正していないという記録を、修正フラグに残す。
【００４５】
さらに、ここでは生体信号測定装置と即手データ収集装置が同じタイムゾーンに存在するという仮定で説明を行ったが、異なったタイムゾーンに各々の装置が存在する場合でも、その時差情報を考慮した測定時刻修正を行うことも当然考えられる。
【００４６】
（実施の形態２）
図３は第２の実施の形態の生体信号測定時刻修正システムの構成図である。図３において、生体信号の測定を行う生体信号測定装置１００と、測定した測定データを収集する測定データ収集装置１１０とは、通信回線１２０で接続されている。
【００４７】
更に、第２の実施の形態の生体信号測定装置１００は、図１に示す第１の実施の形態における生体信号測定装置の構成に加え、生体信号測定装置に対する操作内容を入力する入力手段３０１、測定した測定結果を表示する表示手段３０２、および生体信号の測定結果を保存する記憶手段３０３から構成する。
【００４８】
また、第２の実施の形態のデータ収集装置１１０は、図１に示す第1の実施の形態におけるデータ収集装置の構成に加え、測定データを閲覧するためにデータ収集装置の操作内容を入力する入力手段３１１と、記憶手段１１４に保存した生体信号測定結果を表示する表示手段３１２から構成する。
【００４９】
図４は第２の実施の形態の生体信号測定時刻修正システムにおける生体信号測定装置の処理の流れを示す。測定者が入力手段３０１を介して生体信号測定装置に対する処理を入力する（Ｓ４０１）。次に入力した処理内容の判定を行い（Ｓ４０２）、次の処理に移る。入力として時刻設定を選択した場合、生体信号測定装置１００における計時手段１０２の時刻を設定する処理を行う（Ｓ４０３）。処理が終了すれば、処理入力（Ｓ４０１）に戻る。さらに、入力した処理内容が、測定を選択した場合、生体信号測定処理を行う（Ｓ４０４）。
【００５０】
さらに、入力した処理内容が、通信を選択した場合、生体信号測定装置１００における測定結果を通信手段１０４を介して、データ収集装置に送信する通信処理を行う（Ｓ４０５）。さらに、入力した処理内容が結果表示を選択した場合、表示手段３０２に測定結果の表示を行う（Ｓ４０６）。このとき、複数の測定結果が存在している場合は、入力手段３０１の入力内容により、測定結果を測定時刻順に表示内容を変更できるものとする。
【００５１】
さらに、入力した処理内容が、終了を選択した場合、生体信号測定装置の電源を切断し、処理を終了するものとする。ここで、生体信号測定処理（Ｓ４０４）については、図５を、また通信処理（Ｓ４０５）については図６を用いて説明を行う。
【００５２】
図５は、第２の実施の形態の生体信号測定時刻修正システムにおける生体信号測定装置１００の生体信号測定処理の流れを示す。まず、生体信号測定手段１０１で測定した生体信号測定結果[MR]を取得する（Ｓ２０１）。次に、計時手段１０３において測定操作を実施した測定時刻[MT]を取得する（Ｓ２０２）。この測定時刻[MT]と測定結果[MR]は測定データ収集装置１１０に送信していないという意味で未送信フラグを付加し、制御手段１０３の指示で、測定結果[MR]と測定時刻[MT]と未送信フラグを記憶手段３０３に保存する（Ｓ５０３）。この時、測定結果、測定時刻、未送信フラグの一対のデータをここではレコードと定義して扱う。このとき、複数回の測定が行われれば、複数レコードを記憶手段３０３に保存する。このとき記憶手段３０３の容量を超過して、測定レコードを保存する場合は、測定時刻が最も古い測定レコードから順次削除し、新しい測定レコードを記憶できることとする。なお、新しい測定レコードが記憶できないシステムも当然考えられる。
【００５３】
図６は、第２の実施の形態の生体信号測定時刻修正システムにおける生体信号測定装置側の通信処理（Ｓ４０５）の流れを示す。また、測定データ収集装置側の通信処理は、図７を用いて後述する。この時、生体信号測定装置１００と測定データ収集装置１１０との間の通信タイミング、および通信方向を示すために、図６、および図７の中で、処理の関連を示す符号、“Ａ”“Ｂ”および“Ｃ”を付与している。
【００５４】
図６は、第２の実施の形態の生体信号測定時刻修正システムにおける生体信号測定装置の通信処理の流れを示す。まず制御手段１０３において、記憶手段３０３に保存されているレコードを検索し、未送信フラグが存在する測定結果があるかどうかを判定する（Ｓ６０１）。未送信の測定結果が無い場合は、処理Ｓ６０７に遷移する。一方、未送信の測定結果がある場合は、制御手段１０３において測定結果[MR(i)]と測定時刻[MT(i)]を記憶手段３０３から読み出し、通信手段１０４を介して測定データ収集装置に対して送信処理を行う（Ｓ６０３）。ここで、測定結果および測定時刻に対するインデックスをiと定義し、iは記憶手段３０３に保存されている測定レコードの順番を表している。インデックスｉにより、測定レコード、すなわち測定結果および測定時刻を一意に指定できるものとする。次に、測定結果MR(i)に対して送信済フラグを付与して、記憶手段３０３に保存する（Ｓ６０４）。
【００５５】
次に、制御手段１０３が記憶手段３０３における全測定レコードに対して、送信済みかどうかを判定する（Ｓ６０６）。未送信の測定レコードが存在すれば、インデックスiを更新し、処理Ｓ６０１に戻る。一方、未送信の測定レコードが存在しない場合は、処理Ｓ６０７に遷移する。未送信レコードが存在しない場合、制御手段１０３が通信手段１０４を介して、測定結果送信終了を測定データ収集装置に対して送信する。これを、図６では符号“Ｂ”で表す。次に、測定データ収集装置から通信手段１０３を介して、現在時刻[PT]を受信する（Ｓ２０５）。次に、制御手段１０３が計時手段１０２の時刻を、現在時刻[PT]で更新を行う。この更新処理により、生体信号測定装置の時刻が遅延していたり、早くなったり、さらには初期値に戻っていたりする場合でも、測定データ収集装置の時刻と同じ時刻に修正することが可能となる。なお、この時、測定データ収集装置が電波時計や通信処理においてNetwork Time Protocolなどを介して、正確な時刻を保有していると、生体信号測定時刻収集システムにおける生体信号測定装置における時刻設定の精度が向上する効果がある。
【００５６】
図７は、第２の実施の形態の生体信号測定時刻修正システムにおける測定データ収集装置１１０の通信処理の流れを示す。まず、生体信号測定装置から送信された測定結果および、測定時刻を、通信手段１１１を介して受診する（Ｓ７０１）。これを、図７では符号“Ａ”で表す。この処理は、制御手段１１３において生体信号測定装置の未送信データがなくなるまで、すなわち生体信号測定装置から測定結果送信終了の信号を受信するまで継続し、測定結果送信終了信号を受信したら、次の処理に遷移する（Ｓ７０２）。これを、図７では符号“Ｂ”で表す。
【００５７】
次に、制御手段１１３は、計時手段１１２から現在時刻[PT]を取得し、通信手段１１１を介して、生体信号測定装置へ送信する（Ｓ７０３）。これを、図７では符号“Ｃ”で表す。次に、測定結果と測定時刻を1対のデータが考えて、ここではそれを測定レコードと定義し、受信測定レコードの総数Ｉを算出する（Ｓ７０５）。次に、計時手段１１２における現在時刻[PT]と、最後に測定したi番目の測定データに対する測定時刻[mt(i)]との差分時間[dt(i)]を算出する（Ｓ７１０）。
【００５８】
次に、差分時間[dt(i)]と所定時間を比較する。ここで、所定時間とはセンサの時刻設定がされていなかった場合の十分に過去にさかのぼる時間であり、所定時間の一例として3年間、および5年間などを表しており、これはシステム運用者が適切に設定する時間間隔であり、測定時刻が本来のものと異なると判断するための閾値である。そして差分時間[dt(i)]と所定時間との比較処理を行い、差分時間[dt(i)]の方が大きい場合には処理（Ｓ７１３）に遷移する。一方、そうでない場合には、処理（Ｓ７１２）に遷移し、修正時刻[tt(i)]は空欄とする。差分時間が所定時間より大きい場には、対象差分時間が空欄かどうかを確認する（Ｓ７１３）。この対象差分時間は、通信処理の初期化処理において、空欄に設定されているものと、ここでは仮定しているが、その限りではなく、測定時刻として利用されない文字、記号、データとしてもよい。
【００５９】
次に、対象差分時間が空欄かどうかを判定し、空欄でない場合は、処理（Ｓ７２２）に遷移し、空欄である場合は次の処理に遷移する。これ以降の処理の目的は、時刻修正を行う時間間隔を意味する対象差分時間[dtm]を決定するために行う。次に、測定結果のインデックス番号がi=Iの場合、すなわち測定時刻が最も新しい場合には、制御手段１１３が修正時刻[tt(i)]として現在時刻[PT]を表示手段３１２に表示を行う（Ｓ７１７）。ここで修正時刻として現在時刻[PT]を利用する理由は、最近の測定時刻であることから、測定者が測定行為を行った時刻を記憶してる可能性が高く、それは現在時刻に近いためである。
【００６０】
一方、測定結果のインデックス番号がi<Iの場合、すなわ測定時刻が最新ではない場合には、制御手段１１３が修正時刻[tt(i)]として測定時刻[mt(i+1)]を表示手段３１２に表示を行う（Ｓ７１８）。ここで修正時刻として測定時刻[mt(i+1)]を利用する理由は、それ以降に生体信号測定装置の時刻設定が測定者により修正された可能性が高いため、測定時刻[mt(i)]から測定者が測定行為を行った時刻を推測する事が容易であるためである。
【００６１】
そして次に、入力手段３１１によって、測定時刻[mt(i)]に対する修正時刻[tt(i)]を入力する(Ｓ７１９)。この時、入力した修正時刻[tt(i)]と測定時刻[mt(i)]の時刻差を、対象差分時間[dtm]として算出する（Ｓ７２１）。この対象差分時間[dtm]は、これ以前の測定結果に対する測定時刻の修正処理を行う際に利用する。すなわち、修正時刻[tt(i)]は測定時刻[mt(i)]と対象差分時間[dtm]の和として算出する（Ｓ７２２）。処理（Ｓ７２２）は、対象差分時間[dtm]が空欄であった場合は、処理（Ｓ７２１）と等価であるが、処理（Ｓ７１３）において対象差分時刻[dtm]が空欄でない場合に、修正時刻[tt(i)]を算出するために、必要な処理である。そして、制御手段１１３によって、測定時刻[mt(i)]と測定結果[mr(i)]と修正時刻[tt(i)]を記憶手段１１４に保存を行う。
【００６２】
この様に、対象差分時刻[dtm]を用いることにより、複数の測定時刻を時刻修正を行う場合、対象差分時間[dtm]を一度計算するだけで、複数の測定時刻に対して時刻修正を行うことが出来るメリットがあり、計算量を削減できる効果がある。また、測定者が対象差分時間[dtm]を設定する場合、その設定の手間を軽減できる効果がある。
【００６３】
次にインデックス番号iを1つ減少させる（Ｓ７２６）。インデックス番号iが0より大きい場合は、処理Ｓ７１０に遷移し、そうでない場合、すなわち全ての測定結果に対する処理が終了した場合は、測定データ収集装置の処理を終了する。
【００６４】
図８は、第２の実施の形態の生体信号測定時刻修正システムにおける測定データ収集装置における記憶手段１１４の保存内容(例えば、データベースにおける測定結果テーブル)の一例を表す。図８において、測定時刻の群８０１は時刻修正が必要であった測定時刻の群を表す。すなわち、この測定時刻の群８０１は、図７の処理Ｓ７１１において差分時間が所定時間以上と判断された測定時刻の群であり、それに対応する修正時刻の群が８１１である。
【００６５】
一方、測定時刻の群８０２は、時刻修正が不要であった測定時刻の群を表す。すなわち、この測定時刻の群８０２は、図７の処理Ｓ７１１において差分時間が所定時間未満と判断された測定時刻の群であり、それに対応する修正時刻の群が８１２である。修正時刻の群８１２は、図７の処理Ｓ７１２において、時刻修正不要の意味を表すために、空欄として記録している。
【００６６】
この例では、生体信号測定装置の時刻設定が初期化されて、測定時刻が2000年1月1日になっている状態から測定者が測定行為を開始している。この例は、測定者が最初に時刻設定を行わなかったか、もしくは生体信号測定装置の電池が消耗してしまったため、時刻設定が初期化されてしまったためで発生し、実際運用でもよく発生する事例である。測定者が測定行為を継続している間、すなわち時刻として測定結果IDがR000003以降の時刻でかつ、測定結果IDがR000004以前の時刻に、生体信号測定装置の時刻を測定者が修正を行ったため、生体信号測定装置において途中から正確な測定時刻が記録されている。
【００６７】
なお図７、および図８の説明では、修正時刻を記録する例を説明したが、目的として時刻修正処理の有無だけを確認するのであれば、修正時刻を記録せず、時刻修正フラグを2値で定義し、時刻修正フラグの値により、時刻修正処理の有無を判断するシステムも当然考えられる。
【００６８】
図９は、第２の実施の形態の生体信号測定時刻修正システムにおける表示手段３１２の一例を表す。これは図３の入力手段３１１から測定結果表示処理を選択した際に、表示手段３１２で表示する画面の例であり、ここでは生体信号の一例として血糖値に注目した血糖値確認画面を表し、測定値は図８の値と連動している。なお、図８および図９では生体信号として血糖値に着目しているが、これに限るものではない。
【００６９】
図９において、測定結果を上段ではグラフ形式、下段では表形式で表示している例を示す。まずは、グラフ形式で表示する際、時刻修正処理の有無により測定点の形状を変化させている。すなわち、時刻修正処理を行った場合は、測定点を三角形９０１で表示し、時刻修正処理を行わなかった場合は、測定点を丸９０２で表示している。
【００７０】
また、表形式で表示する際、時刻修正処理の有無により、測定時刻の形状を変化させている。すなわち、時刻修正処理を行った場合は、測定時刻を斜字体９１１で表示し、時刻修正処理を行わなかった場合は、測定時刻を斜字体でない通常の書体(例えば、明朝体、ゴシック体)で表示している。なお、時刻修正処理の有無により変更する字体として、斜字体で説明をしたが、太字体(ボールド体)でもよい。
【００７１】
また、図９では時刻修正処理の有無により、形状を変化させる例を説明したが、これは一例であり、人間が異なる状態に感知できる方法であれば別の方法でもよい。別の方法のとして、点や字体の色、および背景の色で差異を表す方法もあり、また点灯と点滅などの表示方式で差異を表す方法も考えられる。
【産業上の利用可能性】
【００７２】
以上のように、本発明にかかる生体信号測定時刻修正システムは、通信回線で接続された測定信号測定装置と測定データ収集装置から構成しており、測定時刻と現在時刻との差である差分時間を算出し、前記差分時間が所定時間以上である時に前記測定時刻を修正する事を特徴とすることにより、生体信号測定装置の時刻設定が遅延、および電池駆動のための時刻設定の初期化が発生した際でも、測定者が意識することなく、測定時刻を正しい時間に修正する効果を有し、測定者の生体信号測定結果、および測定時刻を通信手段を介して測定データ収集装置で収集し、測定者の健康状態を遠隔管理する健康管理システムに有用である。
【図面の簡単な説明】
【００７３】
【図１】本発明の第１の実施の形態における生体信号測定時刻修正システムのブロック図
【図２】本発明の第１の実施の形態における生体信号測定時刻修正システムの動作説明のためのフロー図
【図３】本発明の第２の実施の形態における生体信号測定時刻修正システムの動作説明のためのフロー図
【図４】本発明の第２の実施の形態における生体信号測定装置の動作説明のためのフロー図
【図５】本発明の第２の実施の形態における生体信号測定装置の生体信号測定処理のフロー図
【図６】本発明の第２の実施の形態における生体信号測定装置の通信処理のフロー図
【図７】本発明の第２の実施の形態における測定データ収集装置の動作説明のためのフロー図
【図８】本発明の第２の実施の形態における測定データ収集装置の記憶手段における保存内容を示す図
【図９】本発明の第２の実施の形態ににおける測定データ収集装置の表示手段における測定結果表示確認画面の図
【図１０】従来の生体信号測定時刻守勢システムのブロック図
【符号の説明】
【００７４】
１００    生体信号測定装置
１０１    生体信号測定手段
１０２    計時手段
１０３    制御手段
１０４    通信手段
１１０    測定データ収集装置
１１１    通信手段
１１２    計時手段
１１３    制御手段
１１４    記憶手段
１２０    通信回線
３０１    入力手段
３０２    表示手段
３０３    記憶手段
３１１    入力手段
３１２    表示手段
８０１    時刻修正対象である測定時刻の群
８０２    時刻修正対象でない測定時刻の群
８１１    時刻修正を行った修正時刻の群
８１２    時刻修正を行わない修正時刻の群
９０１    時刻修正を行った測定結果表示の群
９０２    時刻修正を行わない測定結果表示の群
９１１    時刻修正を行った測定時刻表示の群
９１２    時刻修正を行わない測定時刻表示の群
１００１    生体情報測定装置
１００１ａ    生体情報読取手段
１００１ｂ    時計
１００１ｃ    記憶手段
１００１ｄ    時計設定手段
１００１ｅ    押しボタン
１００１ｆ    表示手段
１００１ｇ    通信手段
１００１ｈ    水晶発信器
１００１ｊ    感温センサ
１００２    測定データ収集装置
１００２ａ    蓄積手段
１００２ｂ    グラフ表示手段
１００３    日時情報送信装置
１００３ａ    基準時計
１００３ｂ    基準時計設定手段
１００３ｃ    水晶発信器
１００４    通信ケーブル
【図１】
2008188379.tif 000003
【図２】
2008188379.tif 000004
【図３】
2008188379.tif 000005
【図４】
2008188379.tif 000006
【図５】
2008188379.tif 000007
【図６】
2008188379.tif 000008
【図７】
2008188379.tif 000009
【図８】
2008188379.tif 000010
【図９】
2008188379.tif 000011
【図１０】
2008188379.tif 000012